(57)【要約】【課題】パティキュレートフィルタと選択還元型触媒を併用してＮＯxとパティキュレートの同時低減化を図る排気浄化装置に関し、ＮＯxを還元浄化するのに十分な量のＨＣガスを選択還元型触媒に対し確実に供給してＮＯxを効果的に低減し得るようにする。【解決手段】排気ガス７中のパティキュレートを捕集するパティキュレートフィルタ１１と、該パティキュレートフィルタ１１より上流側で排気ガス７中の未燃ＨＣを酸化処理する酸化触媒１２と、該酸化触媒１２より上流側で排気ガス７中に燃料を添加するインジェクタ１４（燃料添加装置）を排気管９の途中に備えた排気浄化装置に関し、前記酸化触媒１２と前記パティキュレートフィルタ１１との間に、酸素共存下でも選択的にＮＯxをＨＣと反応せしめる選択還元型触媒１３を介装する。【選択図】図１
2009115022.tif 000002
【特許請求の範囲】
【請求項１】
排気ガス中のパティキュレートを捕集するパティキュレートフィルタと、該パティキュレートフィルタより上流側で排気ガス中の未燃ＨＣを酸化処理する酸化触媒と、該酸化触媒より上流側で排気ガス中に燃料を添加する燃料添加装置を排気管の途中に備えた排気浄化装置において、前記酸化触媒と前記パティキュレートフィルタとの間に、酸素共存下でも選択的にＮＯxをＨＣと反応せしめる選択還元型触媒を介装したことを特徴とする排気浄化装置。
【請求項２】
酸化触媒と選択還元型触媒とを同一担体上に担持させて一体化したことを特徴とする請求項１に記載の排気浄化装置。
【発明の詳細な説明】
【技術分野】
【０００１】
本発明は、排気浄化装置に関するものである。
【背景技術】
【０００２】
ディーゼルエンジンから排出されるパティキュレート（Particulate Matter：粒子状物質）は、炭素質から成る煤分と、高沸点炭化水素成分から成るＳＯＦ分（Soluble Organic Fraction：可溶性有機成分）とを主成分とし、更に微量のサルフェート（ミスト状硫酸成分）を含んだ組成を成すものであるが、この種のパティキュレートの低減対策としては、排気ガスが流通する排気管の途中に、パティキュレートフィルタを装備することが従来より行われている。
【０００３】
前記パティキュレートフィルタは、コージェライト等のセラミックから成る多孔質のハニカム構造となっており、格子状に区画された各流路の入口が交互に目封じされ、入口が目封じされていない流路については、その出口が目封じされるようになっており、各流路を区画する多孔質薄壁を透過した排気ガスのみが下流側へ排出されるようにしてある。
【０００４】
そして、排気ガス中のパティキュレートは、前記多孔質薄壁の内側表面に捕集されて堆積するので、目詰まりにより排気抵抗が増加しないうちにパティキュレートを適宜に燃焼除去してパティキュレートフィルタの再生を図る必要があるが、通常のディーゼルエンジンの運転状態においては、パティキュレートが自己燃焼するほどの高い排気温度が得られる機会が少ない為、酸化触媒を一体的に担持させた触媒再生型のパティキュレートフィルタの採用が検討されている。
【０００５】
即ち、このような触媒再生型のパティキュレートフィルタを採用すれば、捕集されたパティキュレートの酸化反応が促進されて着火温度が低下し、従来より低い排気温度でもパティキュレートを燃焼除去することが可能となるのである。
【０００６】
ただし、斯かる触媒再生型のパティキュレートフィルタを採用した場合であっても、排気温度の低い運転領域では、パティキュレートの処理量よりも捕集量が上まわってしまうので、このような低い排気温度での運転状態が続くと、パティキュレートフィルタの再生が良好に進まずに該パティキュレートフィルタが過捕集状態に陥る虞れがある。
【０００７】
そこで、パティキュレートフィルタの前段に、フロースルー型の酸化触媒を別途配置し、パティキュレートの堆積量が増加してきた段階で前記酸化触媒より上流側の排気ガス中に燃料を添加してパティキュレートフィルタの強制再生を行うことが考えられている。
【０００８】
つまり、パティキュレートフィルタより上流側で添加された燃料（ＨＣ）が前段の酸化触媒を通過する間に酸化反応し、その反応熱で昇温した排気ガスの流入により直後のパティキュレートフィルタの触媒床温度が上げられてパティキュレートが燃やし尽くされ、パティキュレートフィルタの再生化が図られることになる（例えば下記の特許文献１を参照）。
【０００９】
ただし、ディーゼルエンジンの排気浄化を図る場合、前述のように排気ガス中のパティキュレートを除去するだけでは十分ではなく、排気ガス中に含まれるＮＯx（窒素酸化物）についても除去する必要があるので、一般的には、排気系から抜き出した排気ガスの一部を吸気系へ戻し且つその吸気系に戻された排気ガスでエンジン内での燃料の燃焼を抑制させて燃焼温度を下げることによりＮＯx（窒素酸化物）の発生を低減するＥＧＲ装置（ＥＧＲ：Exhaust Gas Recirculation）が併用されているが、近年における排ガス規制の強化に伴い、排気温度の低い運転状態でのＮＯx値を排気ガスの再循環だけで目標値まで低減するのが困難になってきている。
【００１０】
このため、本発明者は、酸素共存下でも選択的にＮＯxをＨＣと反応せしめる選択還元型触媒をパティキュレートフィルタの直後に追加装備し、排気温度の低い運転状態で前記酸化触媒より上流側に添加した燃料の一部を未処理のまま前記選択還元型触媒まで導いてＮＯxを還元浄化することを創案するに到った。
【特許文献１】特開２００３−１９３８２４号公報
【発明の開示】
【発明が解決しようとする課題】
【００１１】
しかしながら、このように選択還元型触媒をパティキュレートフィルタの直後に追加装備した場合に、その上流側にＮＯxを還元浄化するための還元剤として燃料を添加しても、その添加燃料から生じたＨＣガスの大半が、前段の酸化触媒やパティキュレートフィルタを通過する間に消費されてしまうので、ＮＯxを還元浄化するのに十分な量のＨＣガスを最終段の選択還元型触媒まで到達させるのが難しく、該選択還元型触媒を有効に活用することができないという問題があった。
【００１２】
本発明は上述の実情に鑑みてなしたもので、パティキュレートフィルタと選択還元型触媒を併用してＮＯxとパティキュレートの同時低減化を図る排気浄化装置に関し、ＮＯxを還元浄化するのに十分な量のＨＣガスを選択還元型触媒に対し確実に供給してＮＯxを効果的に低減し得るようにすることを目的としている。
【課題を解決するための手段】
【００１３】
本発明は、排気ガス中のパティキュレートを捕集するパティキュレートフィルタと、該パティキュレートフィルタより上流側で排気ガス中の未燃ＨＣを酸化処理する酸化触媒と、該酸化触媒より上流側で排気ガス中に燃料を添加する燃料添加装置を排気管の途中に備えた排気浄化装置において、前記酸化触媒と前記パティキュレートフィルタとの間に、酸素共存下でも選択的にＮＯxをＨＣと反応せしめる選択還元型触媒を介装したことを特徴とするものである。
【００１４】
このようにすれば、燃料添加装置により排気ガス中に燃料を添加した際に、選択還元型触媒がパティキュレートフィルタに先行して配置されていることで該パティキュレートフィルタで消費されていた分のＨＣガスがそのまま選択還元型触媒に供給されることになり、パティキュレートフィルタの直後に選択還元型触媒を配置していた場合よりも該選択還元型触媒に供給されるＨＣガスの量が増加し、このＨＣガスを還元剤としてＮＯxを良好に還元浄化させることが可能となる。
【００１５】
他方、選択還元型触媒の直後のパティキュレートフィルタで排気ガス中のパティキュレートが捕集されていくため、パティキュレートとＮＯxの同時低減化が図られることになり、しかも、燃料添加装置により添加された燃料から生じたＨＣガスが前段の酸化触媒上で酸化反応し、その反応熱により昇温した排気ガスが流れ込むことにより後段のパティキュレートフィルタの触媒床温度が上げられ、内部に捕集されているパティキュレートが燃やし尽くされてパティキュレートフィルタの再生化が図られる。
【００１６】
また、本発明においては、酸化触媒と選択還元型触媒とを同一担体上に担持させて一体化することが可能であり、このようにすれば、酸化触媒と選択還元型触媒とパティキュレートフィルタとを個別に三連配置する場合よりも装置全長が短くなって占有空間のコンパクト化が図られ、しかも、酸化触媒と選択還元型触媒をケーシング内で固定するための部品の点数も削減されることになる。
【００１７】
尚、酸素共存下でも選択的にＮＯxを還元剤と反応させる性質を持つ選択還元型触媒として知られている白金，パラジウム等の貴金属触媒は、パティキュレートフィルタの強制再生を図るための添加燃料を酸化処理する酸化触媒と成分的に近似するものであり、この酸化触媒と選択還元型触媒とを同一担体上に担持させて一体化することに特に技術的な支障はない。
【００１８】
ただし、選択還元型触媒としての十分な性能を発揮し得るように該選択還元型触媒をパティキュレートフィルタに担持させることは、該パティキュレートフィルタの目詰まりを招いてしまうため、選択還元型触媒とパティキュレートフィルタとを一体化させることは困難であり、選択還元型触媒をパティキュレートフィルタに先行して配置したからこそ酸化触媒と選択還元型触媒との一体化が実現されたものと言える。
【発明の効果】
【００１９】
上記した本発明の排気浄化装置によれば、下記の如き種々の優れた効果を奏し得る。
【００２０】
（Ｉ）本発明の請求項１に記載の発明によれば、パティキュレートフィルタと選択還元型触媒を併用してＮＯxとパティキュレートの同時低減化を図る排気浄化装置に関し、ＮＯxを還元浄化するのに十分な量のＨＣガスを選択還元型触媒に対し確実に供給してＮＯxを効果的に低減することができ、ＮＯx浄化性能の向上や選択還元型触媒の容量削減によるコストダウンを実現することができる。
【００２１】
（ＩＩ）本発明の請求項２，３に記載の発明によれば、酸化触媒と選択還元型触媒とパティキュレートフィルタとを個別に三連配置する場合よりも装置全長を短くして占有空間のコンパクト化を図ることができるので、車両への搭載性を大幅に向上することができ、しかも、酸化触媒及び選択還元型触媒をケーシング内で固定するための部品の点数を削減することができて更なるコストダウンを実現することもできる。
【発明を実施するための最良の形態】
【００２２】
以下本発明の実施の形態を図面を参照しつつ説明する。
【００２３】
図１は本発明を実施する形態の一例を示すもので、図１中における１はターボチャージャ２を搭載したディーゼルエンジンを示しており、エアクリーナ３から導いた空気４が吸気管５を介し前記ターボチャージャ２のコンプレッサ２ａへと送られ、該コンプレッサ２ａで加圧された空気４が更にインタクーラ６へと送られて冷却され、該インタクーラ６から図示しないインテークマニホールドへと空気４が導かれてディーゼルエンジン１の各シリンダに導入されるようにしてある。
【００２４】
また、このディーゼルエンジン１の各シリンダから排出された排気ガス７がエキゾーストマニホールド８を介し前記ターボチャージャ２のタービン２ｂへと送られ、該タービン２ｂを駆動した排気ガス７が排気管９を介し車外へ排出されるようにしてある。
【００２５】
この排気ガス７が流通する排気管９の途中には、マフラ外筒を成すケーシング１０が備えられており、このケーシング１０内における後段に、排気ガス７中のパティキュレートを捕集するパティキュレートフィルタ１１が収容されていると共に、ケーシング１０内における前段には、前記パティキュレートフィルタ１１より上流側で排気ガス７中の未燃ＨＣを酸化処理する酸化触媒１２が備えられており、該酸化触媒１２と前記パティキュレートフィルタ１１との間に、酸素共存下でも選択的にＮＯxをＨＣと反応せしめる選択還元型触媒１３が介装されている。
【００２６】
また、前記ケーシング１０より上流側の排気管９には、排気ガス７中に還元剤として燃料（軽油等）を添加するインジェクタ１４（燃料添加装置）が備えられており、該インジェクタ１４により添加された燃料から生じたＨＣガスが酸化触媒１２を通過する間に酸化反応し、その反応熱で昇温した排気ガス７の流入により最後段のパティキュレートフィルタ１１の触媒床温度が上げられてパティキュレートが燃やし尽くされ、パティキュレートフィルタ１１の再生化が図られるようになっており、また、その添加燃料の一部が未処理のまま前記選択還元型触媒１３まで到達し、ここで添加燃料から生じたＨＣガスによりＮＯxが還元浄化されるようになっている。
【００２７】
而して、このように排気浄化装置を構成すれば、インジェクタ１４により排気ガス７中に燃料を添加した際に、選択還元型触媒１３がパティキュレートフィルタ１１に先行して配置されていることで該パティキュレートフィルタ１１で消費されていた分のＨＣガスがそのまま選択還元型触媒１３に供給されることになり、パティキュレートフィルタ１１の直後に選択還元型触媒１３を配置していた場合よりも該選択還元型触媒１３に供給されるＨＣガスの量が増加し、このＨＣガスを還元剤としてＮＯxを良好に還元浄化させることが可能となる。
【００２８】
他方、選択還元型触媒１３の直後のパティキュレートフィルタ１１で排気ガス７中のパティキュレートが捕集されていくため、パティキュレートとＮＯxの同時低減化が図られることになり、しかも、インジェクタ１４により添加された燃料から生じたＨＣガスが前段の酸化触媒１２上で酸化反応し、その反応熱により昇温した排気ガス７が流れ込むことにより後段のパティキュレートフィルタ１１の触媒床温度が上げられ、内部に捕集されているパティキュレートが燃やし尽くされてパティキュレートフィルタ１１の再生化が図られる。
【００２９】
従って、上記形態例によれば、パティキュレートフィルタ１１と選択還元型触媒１３を併用してＮＯxとパティキュレートの同時低減化を図る排気浄化装置に関し、ＮＯxを還元浄化するのに十分な量のＨＣガスを選択還元型触媒１３に対し確実に供給してＮＯxを効果的に低減することができ、ＮＯx浄化性能の向上や選択還元型触媒１３の容量削減によるコストダウンを実現することができる。
【００３０】
また、図２は本発明の別の形態例を示すもので、酸化触媒１２と選択還元型触媒１３とを同一担体上に担持させて一体化するようにしており、このようにすれば、酸化触媒１２と選択還元型触媒１３とパティキュレートフィルタ１１とを個別に三連配置する場合よりも装置全長が短くなって占有空間のコンパクト化が図られ、しかも、酸化触媒１２と選択還元型触媒１３をケーシング１０内で固定するための部品の点数も削減されることになる。
【００３１】
尚、酸素共存下でも選択的にＮＯxを還元剤と反応させる性質を持つ選択還元型触媒１３として知られている白金，パラジウム等の貴金属触媒は、パティキュレートフィルタ１１の強制再生を図るための添加燃料を酸化処理する酸化触媒１２と成分的に近似するものであり、この酸化触媒１２と選択還元型触媒１３とを同一担体上に担持させて一体化することに特に技術的な支障はない。
【００３２】
ただし、選択還元型触媒１３としての十分な性能を発揮し得るように該選択還元型触媒１３をパティキュレートフィルタ１１に担持させることは、該パティキュレートフィルタ１１の目詰まりを招いてしまうため、選択還元型触媒１３とパティキュレートフィルタ１１とを一体化させることは困難であり、選択還元型触媒１３をパティキュレートフィルタ１１に先行して配置したからこそ酸化触媒１２と選択還元型触媒１３との一体化が実現されたものと言える。
【００３３】
従って、本形態例によれば、酸化触媒１２と選択還元型触媒１３とパティキュレートフィルタ１１とを個別に三連配置する場合よりも装置全長を短くして占有空間のコンパクト化を図ることができるので、車両への搭載性を大幅に向上することができ、しかも、酸化触媒１２及び選択還元型触媒１３をケーシング１０内で固定するための部品の点数を削減することができて更なるコストダウンを実現することもできる。
【００３４】
尚、本発明の排気浄化装置は、上述の形態例にのみ限定されるものではなく、本発明の要旨を逸脱しない範囲内において種々変更を加え得ることは勿論である。
【図面の簡単な説明】
【００３５】
【図１】本発明を実施する形態の一例を示す概略図である。
【図２】本発明の別の形態例を示す概略図である。
【符号の説明】
【００３６】
７  排気ガス
９  排気管
１１  パティキュレートフィルタ
１２  酸化触媒
１３  選択還元型触媒
１４  インジェクタ（燃料添加装置）
【図１】
2009115022.tif 000003
【図２】
2009115022.tif 000004